(57)【特許請求の範囲】
【請求項１】
液体又は気体を収容する収容器であって、収容器は容器本体と前記容器本体を懸吊する懸吊部を備え、前記容器本体の底部の面積が前記容器本体の最上部の水平方向断面積より大きく、
前記容器本体は塩化ビニル樹脂製ターポリンで三角錐形状に形成され、
前記塩化ビニル樹脂であるターポリン製の前記容器の稜線は熱溶着で封止されており、
前記懸吊部を備えることで液体又は気体についてまとまった量を動力等を特に利用せずに持ち運びする事のできることを特徴とする収容器。
【請求項２】
懸吊部は、三角錐の正面と底面の接点となる端部に、容器本体を支持する支持体の懸吊横棒の直径と同程度の直径を有する貫通管を設けるように端部を折り曲げて溶着させて三角錐の稜線上に設けられる事を特徴とする請求項１記載の収容器。
【請求項３】
容器本体は、液体又は気体を収容または排出する少なくとも一つの開口部を備える請求項1乃至２いずれか一つに記載の収容器。
【請求項４】
開口部は、シャワー用ヘッドが取り付けられる事を特徴とする請求項３記載の収容器。
【請求項５】
容器本体は、空気抜き孔と、空気抜き弁をさらに備える請求項４に記載の収容器。
【請求項６】
懸吊部は、懸吊紐を容器本体の正面および後右側面に縫着される事を特徴とする請求項1記載の収容器。
【請求項７】
容器本体に、更に容器本体を覆うカバー部を備える請求項1乃至３いずれか一つに記載の収容器。
【請求項８】
懸吊部は、容器本体を覆うカバー部に縫着される請求項1乃至３いずれか一つに記載の収容器。
【請求項９】
容器本体の溶着部に裏側からシートを溶着または縫着することで補強することを特徴とする請求項1乃至５いずれか一つに記載の収容器。
【請求項１０】
シャワーヘッドに装着されるホースが容器本体内部に挿入されて底面に到達長さを有することを特徴とする請求項４乃至５いずれか一つに記載の収容器。
【請求項１１】
容器本体の一部に、車軸とその車軸の両側に車輪を設け、対抗する部分に取っ手を設けることを特徴とする請求項1乃至３いずれか一つに記載の収容器。
【請求項１２】
容器本体の中に気体を封入することで浮として用いることのできる請求項1乃至３いずれか一つに記載の収容器。
【請求項１３】
容器本体の中に空気より比重の大きい気体または液体を封入することでおもりとして用いることのできる請求項1乃至３いずれか一つに記載の収容器。
【請求項１４】
・封止手段がファスナであることを特徴とする請求項1乃至３いずれか一つに記載の収容器。
【発明の詳細な説明】
【技術分野】
【０００１】
本発明は、液体や気体などを収納できる収容器であって、必要としない場合はコンパクトに収納可能であり、必要な場合は懸吊することのできる収容器に関する。
【背景技術】
【０００２】
山林に設置される搬送可能に形成された水槽として、特許文献１が提案されている。特許文献１は、三角錐形状で、水槽内に注水した場合には、内部の圧力により所定の形状を形成して自立しうるように構成されていることが記載されている。
【０００３】
また、係止紐で立木に水槽を係止できる傾斜地用簡易水槽について、特許文献２が提案されている。林野火災では、上水道が整備されていない為、十分な消火用の水を確保することが困難である。そこで、特許文献２に記載の水槽を用いることで必要な大量の水を確保することが可能になる。
【０００４】
消火時にシャッタを開放する際に、高圧水を用いる場合、シャッタ開放に用いた水は、従来、全て廃棄していた。そこで、特許文献３では、入口にシャッタを設置した建築物の火災時に消防ホースを送水口に連絡して消火用水を注水し、シャッタを開放するシャッタ開放装置において、シャッタ開放に用いた水を捨てずに貯蔵する排水貯水槽に関するものである。
【先行技術文献】
【特許文献】
【０００５】
【特許文献１】特開２０００−１８９５３７号公報
【特許文献２】実公平１−２６６３６号公報
【特許文献３】実公昭６０−４０６９７号公報
【発明の概要】
【発明が解決しようとする課題】
【０００６】
ところで、液体、特に飲料水を供給する場合、水槽を用いて配給する場合に、水槽を地面に設置するよりは、懸吊できて、蛇口が地面より一定の距離を有している方が衛生上好ましい。特に地面が乾燥していない場合等、地面上に設置する事ができない場合もある。
【０００７】
特許文献１では、消火用水を格納するために、地面に設置することは課題となる事がない。また、懸吊ができない場合には、水を水場や水道で汲むことはできても、その水を安全な場所に移動することができない場合も生じ得る。従って、懸吊できる手段があることが望ましい。
【０００８】
また、特許文献２における懸吊手段は、その図４からもわかるように移動用の懸吊手段ではなく、消火時に樹木等に固定することが目的の懸吊手段である。すなわち、移動可能な懸吊手段であることが好ましい。
【０００９】
さらに、特許文献３によれば、平常時に折り畳む事ができることを特徴としている。しかし、特許文献３は、折り畳む事ができるものの、折り畳んだ状態で、移動することを前提とした構造にはなっていなかった。一方、飲料水用に適した水槽としては、折り畳めるとともに持ち運ぶことができることが好ましい。
【００１０】
また、水槽を飲料に使用する以外にシャワー等に使用することもできる。但し、シャワーに用いるには単にシャワーヘッドとホースを水槽に装着するのみならず、水流を加速させる構造が必要である。
【００１１】
さらに、同一形状で、より大量の液体を格納する場合は、その重量に応じて懸吊手段の強度を向上させる必要がある。
【００１２】
そこで、本発明の目的は、第一にコンパクトな形状である容器であって、特に懸吊手段を有する容器を提供することにある。
【００１３】
本発明の第二の目的は、懸吊手段が移動するために使用できる手段を提供することにある。
【００１４】
本発明の第三の目的は、折り畳むことができると共に持ち運びが容易な容器を提供する事にある。
【００１５】
本発明の第四の目的は、容量の大きい容器であっても、その容量に応じた懸吊手段を有する容器を提供する事にある。
【課題を解決するための手段】
【００１６】
本発明の目的を解決する為に、本発明に係る液体容器は、液体又は気体を収容する収容器であって、収容器は容器本体と前記容器本体を懸吊する懸吊部を備え、前記容器本体の底部の面積が前記容器本体の最上部の水平方向断面積より大きく、 前記容器本体は塩ビ・ターポリンで形成され、  前記塩ビ・ターポリンの端部は熱溶着で封止されており、  前記懸吊部を備えることで液体又は気体についてまとまった量を動力等を特に利用せずに持ち運びする事のできることを特徴とする。
【００１７】
収容器の形状が三角錐であってもよい。
【００１８】
懸吊部は、三角錐の正面と底面の接点となる端部に、容器本体を支持する支持体の懸吊横棒の直径と同程度の直径を有する貫通管を設けるように端部を折り曲げて溶着させて三角錐の稜線上に設けられてもよい。
【００１９】
容器本体は、液体又は気体を収容または排出する少なくとも一つの開口部を備えてもよい。
【００２０】
開口部は、シャワー用ヘッドが取り付けられてもよい。
【００２１】
容器本体は、空気抜き孔と、空気抜き弁をさらに備えてもよい。
【００２２】
懸吊部は、懸吊紐を容器本体の正面および後右側面に縫着されてもよい。
【００２３】
本体部に、更に容器本体を覆うカバー部を備えてもよい。
【００２４】
懸吊部は、容器本体を覆うカバー部に縫着されてもよい。
【００２５】
懸吊部が四角錐台形状であってもよく、懸吊部が三角錐台形状であってもよく、懸吊部が円錐台形状であってもよい。
【００２６】
容器本体の溶着部に裏側からシートを溶着または縫着することで補強してもよい。
シャワーヘッドに装着されるホースが容器本体内部に挿入されて底面に到達長さを有してもよい。
【００２７】
容器本体の一部に、車軸とその車軸の両側に車輪を設け。対抗する部分に取っ手を設けてもよい。
【００２８】
容器本体の中に気体を封入することで浮として用いてもよい。
【００２９】
容器本体の中に空気より比重の大きい気体または液体を封入することでおもりとして用いてもよい。
【００３０】
開口部の開放・封止手段がファスナであってもよい。さらに、収容器の容量をより小さくして人が単独で運搬することができるようにすることもできる。その際には、懸吊手段として、少なくとも1本のショルダーベルトとすることで、肩掛けベルトとして運搬するように構成することもできるし、ショルダーベルトを2本とすることで、リュックサック状に両肩にかけて運搬することができるように構成することもできる。
【発明の効果】
【００３１】
本発明に係る容器により、コンパクトな形状である三角錐形状の容器であって、特に懸吊手段を有する容器を提供することができるため、設置の際に蛇口等を地面から距離をおくことができる。
【００３２】
本発明に係る容器により、懸吊手段が移動するために使用できる手段を提供することができるため、容器を移動することができ、容器内部に液体を充填した後にも自由に容器を移動させることができる。
【００３３】
本発明に係る容器により、折り畳むことができると共に持ち運びが容易であるため、使用していない際の収納が用意となり、また、未使用時の移動も容易である。
【００３４】
本発明に係る容器により、容量の大きい容器であっても、その容量に応じた懸吊手段を有するため、容量に応じての移動が可能となる。
【図面の簡単な説明】
【００３５】
【図１】本発明に係る容器の第１の実施形態を示す構成図である。
【図２】本発明に係る容器の第２の実施形態を示す構成図である。
【図３】本発明に係る容器の第３の実施形態を示す構成図である。
【図４】本発明に係る容器の第４の実施形態を示す構成図である。
【図５】本発明に係る容器の第５の実施形態を示す構成図である。
【図６】本発明に係る容器の第６の実施形態を示す構成図である。
【図７】本発明に係る容器の第６の実施形態を示す構成図である。
【図８】本発明に係る容器の第７の実施形態を示す構成図である。
【図９】本発明に係る容器の第７の実施形態を示す構成図である。
【図１０】本発明に係る容器の第８の実施形態を示す構成図である。
【図１１】本発明に係る容器の第８の実施形態を示す構成図である。
【図１２】本発明に係る容器の第９の実施形態を示す構成図である。
【図１３】本発明に係る容器の第１０の実施形態を示す構成図である。
【図１４】本発明に係る容器の第１１の実施形態を示す構成図である。
【図１５】本発明に係る容器の第１２の実施形態を示す構成図である。
【図１６】本発明に係る容器の第１３の実施形態を示す構成図である。
【図１７】本発明に係る容器の第１４の実施形態を示す構成図である。
【発明を実施するための形態】
【００３６】
次に、本発明に係る容器の実施の形態について図面を参照して詳細に説明する。
【００３７】
（第１の実施形態）
（構成）
図１は、本発明に係る容器の第１の実施形態の概略を示す図を示したものである。容器本体２と容器本体２を支える支持体４とが記載されている。容器本体２は、円筒形状の塩ビ・ターポリンの端部を互いに垂直となるように熱溶着で封止して三角錐となるように形成したものである。正面６と、後方右面８と、後方左面１０（図示せず）と、底面１２（図示せず）が設けられる。正面６には、その頂点付近に開口部１４が設けられて、その開口部１４に蛇口付き蓋体１６が設置される。この蛇口付き蓋体１６の内部には内部配管が設けられており、蛇口付き蓋体１６より水面が離れていても蛇口と連結するように構成される。
【００３８】
さらに正面６と底面１２の接点となる端部に、支持体４の懸吊横棒１８の直径と同程度の直径を有する貫通管２０を設けるように端部を折り曲げて溶着させて三角錐の稜線上に設けられる。貫通管２０は、容器本体２の他端部にも同様に設けられる。
【００３９】
支持体４は、水平方向に延在する懸吊横棒１８と、この懸吊横棒１８を２本づつ、２カ所で支持する支持縦棒２２から構成される。１組の支持縦棒２２は、その上端で互いに結合して、下から懸吊横棒１８を支持する。この支持縦棒２２は、その中央より上部において横梁棒２４で互いに連結される。また、二組の支持縦棒２２は、二組の筋交棒２６によって筋交いに連結される。
【００４０】
支持体４を構成する懸吊横棒１８、支持縦棒２２、横梁棒２４、筋交棒２６はいずれも所定の長さより短い部分に分けることができ、分解した際にコンパクトにまとめる事ができる。互いに蝶ネジで固定される。所定の長さとして１ｍとするとより持ち運びに適している。
【００４１】
（使用方法）
続いて、図１で示される第１の実施の形態についてその使用方法について以下に説明する。支持体４は、予め液体特に水を配給する場所に支持縦棒２２で懸吊横棒１８を指示できるように組み立てておく。一方、容器本体２は、予め貫通管２０を貫通させておく。その後に、蛇口付蓋体１６を開口して、内部に水を注入する。十分、水が注入されて容器本体２が満水に近づいた後は、蛇口付蓋体１６で開口部１４を封止する。その後、二人以上で、懸吊横棒１８を担ぎ、既に組み立てられている支持体４に懸吊横棒１８毎登載する。本発明により水等の液体についてまとまった量を動力等を特に利用せずに持ち運びする事ができる。
【００４２】
（第２の実施形態）
（構成）
続いて、図２を用いて第２の実施形態について説明する。特に実施の形態１と異なる点を中心に説明する。第２の実施形態は、容器本体３０が自立式であり、支持体４を用いない点で実施の形態１とは異なる。また、正面３２には蛇口付蓋体ではなく、シャワー用蓋体４２を設けている点で異なる。シャワー用蓋体４２には、ホース４４が接続され、ホース４４にはシャワーヘッド４６が設けられる。シャワーヘッド４６は、ボタンによって水の放出と停止を切り替えられる事が望ましい。また、容器の色は黒色等の濃い色が望ましい。太陽光で内部の水温を上昇させる事ができるからである。
【００４３】
さらに、後右側面３４は頂点に、空気抜き孔４０が開口され、そこに空気抜き弁５０が設けられる。空気抜き弁５０は、内部の圧力が基準値以上の圧力になった場合に、内部のガスを外側に放出する機能を有する。基準値は、例えば０．０５〜０．２ｋｇ／ｃｍ２程度が好ましい。また、空気抜き弁５０の下部に空気吹込部５２が設けられる。空気吹込部５２は、空気入れを挿入して空気を注入する事ができる。
【００４４】
また、正面３２と裏面３８（図示せず）の端部と後右側面３４と後左側面３６（図示せず）の端部にはそれぞれ、貫通管４８が設けられるが、その際の溶着は第１の実施の形態の溶着に加えて補強溶着がなされている。
【００４５】
（使用方法）
続いて、図２で示される第２の実施の形態についてその使用方法について以下に説明する。水を注入する点までは第１の実施の形態と同様である。水を注入した後に、容器本体３０を直射日光にさらしながら、しばらく置き、水温が上昇するのを待ってもよい。
【００４６】
水を注入後または直射日光に照射後に、続いて、図示しない空気入れの注入部を空気吹き込み部５２に挿入する。そこで、空気入れで空気吹き込み部５２へ３０回程度ハンドルを上下することで空気を注入する。略この回数で容器内の圧力は、０．０５〜０．２ｋｇ／ｃｍ２であることが好ましい。空気を充填しすぎた場合には、空気抜き弁５０から空気が放出されて、空気を入れすぎることはない。
【００４７】
十分空気を注入した後は、シャワーとして使用する事ができる。シャワーヘッド４６のボタンを開放すると、内部の空気の圧力によってシャワーヘッド４６から水が放出される。シャワーヘッド４６から水が放出されなくなった場合は、再度空気入れで空気を注入する事で再度水がでるようにすることができる。また、容器本体３０を押圧してもよい。
【００４８】
なお、蓋体４２、空気抜き弁５０、空気吹込み部５２を開放する場合は、内部圧が高い場合は、注意して開放する必要がある。
【００４９】
以上のように用いることで、本容器を簡易シャワーとして使用する事もできる。
【００５０】
（第３の実施形態）
さらに、図３を用いて第３の実施形態について説明する。特に実施の形態１と異なる点を中心に説明する。第３の実施形態では、蛇口付蓋体６０は、容器本体６２に対して、頂点側でなく底辺側に設けられている。
【００５１】
また、後左側面６４には、懸吊紐６６が紐固定部６８を介して容器本体６０と連結している。紐固定部６８は、四角形状のターポリン布であって、懸吊紐６６を固定する際に強度を得るために縫着されている。また図示しない後右側面７０に紐固定部７２を介して懸吊紐６６が連結している。一方、容器本体６０には、貫通管は設けられない。本構成を行うことでシンプルな形状の容器を構成する事ができる。
【００５２】
（第４の実施形態）
【００５３】
さらに、図４を用いて第４の実施形態について説明する。特に実施の形態３と異なる点を中心に説明する。容器本体７４は、第３の実施形態と同様に三角錐形状である。第３の実施形態との違いの一つは、紐固定部７６の形状が三角形状であることである。この三角形状の紐固定部７６に懸吊紐８４が縫着される。紐固定部７６は、正面７８と後右側面８２に縫着される。正面７８と後右側面８２とに挟まれる稜線のうち紐固定部７６側半分が気密ファスナ８６で連結される。水の注入と放出も可能である。
【００５４】
また、容器本体７４他に、カバー部８８を有する。カバー部８８の形状は、容器本体７４を被覆可能な大きさの三角錐台形状である。上面は開口されて開口部９０が設けられている。また、正面９４の蓋体８０に相当する箇所に蓋体開口９２が設けられている。開口部９０を懸吊紐８４が貫通して、カバー部８８が容器本体７４を被覆する。蓋体８０は、蓋体開口９２を貫通する。
【００５５】
（第５の実施形態）
さらに、図５を用いて第５の実施形態について説明する。特に実施の形態４と異なる点を中心に説明する。三角錐形状の本体部９８が、第４の実施の形態と異なるのは、懸吊紐がない点である。気密ファスナ１０８は、正面１０２と後右側面１０４とに挟まれる稜線のうち蓋体１０６の無い頂点側に設けられている。
【００５６】
一方、カバー部１００は、カバー正面１１０、カバー後右側面１１２を備える三角錐形状であり、カバー正面１１０にはカバー開口１１４が開口する。また、カバー正面１１０、カバー後右側面１１２には、カバー懸吊紐１１６がそれぞれ縫着される。すなわち、カバー部１１６は本体部９８を内部に収納し、移動時は、カバー部１００が本体部９８を収納したまま移動する。
【００５７】
本発明を実施する事で、本体部９８の生地を保護することができ、耐久性を高める事ができる。
（第６の実施形態）
【００５８】
次に、図６、７を用いて第６の実施形態について説明する。第６の実施形態は、図６でカバー部１２０について説明し、図７で本体部１４８について説明する。
【００５９】
カバー部１２０は、四角錐台形状であって、四角形状の底面部１２２と、その各辺で連結される側面部１２４、１２６，１２８，１３０が設けられて四角錐台を形成する。側面部１２４、１２６，１２８，１３０を形成するにあたり、それぞれ側面部の間の余剰のシートでタブ１３１、１３２，１３３、１３４を形成する。そのタブ１３１、１３２，１３３、１３４に、懸吊部１３９、１４０、１４１、１４２が、縫着部１３５、１３６、１３７（図示せず）、１３８でタブ１３１、１３２，１３３、１３４にそれぞれ縫着される。なお、四角錐台の上面部は、本体部１４８を導入可能に四角形状に開口している。
【００６０】
懸吊部１３９、１４０、１４１、１４２は、それぞれ上部が環状に形成され、懸吊可能に構成される。
【００６１】
本体部１４８は、カバー部１２０に収納される液体容器である。本体部１４８は、内部に水などの液体が格納できるように、空洞に形成される。本体部１４８の形状は、四角柱形状の底部の上に、四角錐台の胴体が設けられ、胴体の上に四角錐形状の上部が配置される形状に構成されている。
【００６２】
本体部１４８は、その上部側面にキャップを有する給水用の開口部１５６を備え、底部近傍に放水または排水用のキャップを有する開口部１５４を備える。カバー部１２０には図示されていないが、対応箇所にキャップ貫通用の開口を設けることもできる。
【００６３】
以上のように構成することで、本体部１４８をカバー部１２０に収納して給水用の開口部１５６から、水を給水し、適量を供給したらキャップを締める。その後、懸吊部１３９、１４０、１４１、１４２で懸吊することで、本体部１４８をカバー部１２０毎運搬することが可能である。このとき形状が底部１２２の面積が前記収容器の最上部の水平方向断面積より小さいため、本発明に係る容器は安定して形状を維持することができる。
【００６４】
また、運搬終了後に排水する場合は、開口部１５４より排水することができる。
【００６５】
本体部１４８から完全に排水した場合は、本体部１４８とカバー部１２０を折りたたむことも可能である。
（第７の実施形態）
【００６６】
次に、図８、９を用いて第７の実施形態について説明する。第７の実施形態は、図８でカバー部１６０について説明し、図９で本体部１８０について説明する。
【００６７】
カバー部１６０は、第６の実施形態とのおおきな差異は、その形状が三角錐台であることである。
【００６８】
三角形状の底面部１６１と、その各辺で連結される側面部１６２、１６４，１６６が設けられて三角錐台を形成する。側面部１６２、１６４，１６６を形成するにあたり、それぞれ側面部の間の余剰のシートでタブ１６８、１６９，１７０を形成する。そのタブ１６８、１６９，１７０に、懸吊部１７４、１７５、１７６が、縫着部１７１、１７２、１７３でタブ１６８、１６９，１７０にそれぞれ縫着される。なお、三角錐台の上面部は、本体部１８０を導入可能に開口している。
【００６９】
懸吊部１７４、１７５、１７６は、それぞれ上部が環状に形成され、懸吊可能に構成される。
【００７０】
本体部１８０は、カバー部１６０に収納される液体容器である。本体部１８０は、内部に水などの液体が格納できるように、空洞に形成される。本体部１８０の形状は、三角柱形状の底部の上に、三角錐台の胴体が設けられ、胴体の上に三角錐形状の上部が配置される形状に構成されている。
【００７１】
本体部１８０は、その上部側面にキャップを有する給水用の開口部１８８を備え、底部近傍に放水または排水用のキャップを有する開口部１８６を備える。カバー部１６０には図示されていないが、対応箇所にキャップ貫通用の開口を設けることもできる。
【００７２】
以上のように構成することで、本体部１８０をカバー部１６０に収納して給水用の開口部１８８から、水を給水し、適量を供給したらキャップを締める。その後、懸吊部１７４、１７５、１７６で懸吊することで、本体部１８０をカバー部１６０毎運搬することが可能である。このとき形状が底部１６１の面積が前記収容器の最上部の水平方向断面積より小さいため、本発明に係る容器は安定して形状を維持することができる。
【００７３】
また、運搬終了後に排水する場合は、開口部１８６より排水することができる。
【００７４】
本体部１８０から完全に排水した場合は、本体部１８０とカバー部１６０を折りたたむことも可能である。
（第８の実施形態）
【００７５】
次に、図１０、１１を用いて第８の実施形態について説明する。第８の実施形態は、図１０でカバー部１９０について説明し、図１１で本体部２１０について説明する。
【００７６】
カバー部１９０は、第６、７の実施形態とのおおきな差異は、その形状が円錐台であることである。
【００７７】
円形状の底面部１９１と、その各辺で連結される側面部１９２が設けられて円錐台を形成する。側面部１９２を形成するにあたり、円錐台をその中心軸方向であって、面積の小さい上面方向から下面方向へみて、側面に、中心軸を中止に１２０度毎に余剰のシートでタブ１９４、１９５，１９６を形成する。そのタブ１９４、１９５，１９６に、懸吊部２００、２０１、２０２が、縫着部１９７、１９８、１９９でタブ１９４、１９５，１９６にそれぞれ縫着される。なお、円錐台の上面部は、本体部２１０を導入可能に開口している。
【００７８】
懸吊部２００、２０１、２０２は、それぞれ上部が環状に形成され、懸吊可能に構成される。
【００７９】
本体部２１０は、カバー部１９０に収納される液体容器である。本体部２１０は、内部に水などの液体が格納できるように、空洞に形成される。本体部２１０の形状は、円柱形状の底部の上に、円錐台の胴体が配置される形状に構成されている。
【００８０】
本体部２１０は、その上部側面にキャップを有する給水用の開口部２１６を備え、底部近傍に放水または排水用のキャップを有する開口部２１８を備える。カバー部１９０には図示されていないが、対応箇所にキャップ貫通用の開口を設けることもできる。
【００８１】
以上のように構成することで、本体部２１０をカバー部１９０に収納して給水用の開口部１８８から、水を給水し、適量を供給したらキャップを締める。その後、懸吊部１７４、１７５、１７６で懸吊することで、本体部１８０をカバー部２１６毎運搬することが可能である。このとき形状が底部１９１の面積が前記収容器の最上部の水平方向断面積より小さいため、本発明に係る容器は安定して形状を維持することができる。
【００８２】
また、運搬終了後に排水する場合は、開口部２１８より排水することができる。
【００８３】
本体部２１０から完全に排水した場合は、本体部２１０とカバー部１９０を折りたたむことも可能である。
（第９の実施形態）
【００８４】
第９の実施形態は、第２の実施形態にさらに適用される実施形態である。第２の実施形態では、内部の圧力を上昇させて使用するため、正面と裏面の溶着の強度が不十分な場合がある。その強度を向上させるのが第９の実施の形態である。
【００８５】
第９の実施形態について、図１２を用いて説明する。図１２は、工程別に（１）から（３）の図面が記載されている。図１２（１）において、第２の実施形態の正面３２に相当するのがシート２２８であり、裏面３８（図示せず）に相当するのがシート２３０であり、溶着部２１９と溶着部２２０の方向が、貫通管４８方向に相当する。シート２２８と、溶着部２２０は、折り曲げ点２２６と折り曲げ点２２４で折り曲げられ溶着部２１９と溶着部２２０で溶着される。
【００８６】
図１２（２）では、補強シート２３２が、シート２２８とシート２３０の内側から補強のために溶着される。
【００８７】
さらに、図１２（３）において、補強シート２３６をシート２２８とシート２３０に対して、それぞれシート２２８上の部位２３２とシート２３０上の部位２３８で縫着される。本構成とすることで、正面と裏面の溶着の強度が十分に向上することは明らかである。
（第１０の実施形態）
【００８８】
第１０の実施形態は、第２の実施形態にさらに適用される実施形態である。第２の実施形態では、シャワーヘッド４６に連結するホースについての説明である。第１０の実施形態について、図１３を用いて説明する。シャワーホース３４４は、シャワーヘッド３４６と連結されて、シャワー用蓋体３４２を貫通して、容器本体に挿入され、容器本体内部でシャワーホース３５４は、その先端３５６まで延在し、容器本体の底部に位置するまで挿入される。このように配置されることで、容器内部の水全てをシャワーヘッド３５４から放出することができる。
（第１１の実施形態）
【００８９】
第１１の実施形態は、第１の実施の形態を変更したものである。図１４を用いて説明する。第１１の実施形態における容器本体４３０の構成の中、液体を入れる容器である点で同一だが、貫通管４５０内に、回転軸を貫通させ、その回転軸の両端に車輪４５２、４５４を設ける点で第１の実施の形態と異なる。さらに、貫通管４５０と異なる貫通管４４８においては、取手４５６を備える点で第１の実施の形態と異なる。このように構成することで、容器内に水を入れた状態で長距離、徒歩で移動する場合には、容器本体４３０の車輪４５２、４５４を転がして運搬可能であるため、大いに役立つ。
（第１２の実施形態）
【００９０】
第１２の実施形態は、第１の実施形態の利用方法を示すものである。図１５を用いて説明する。容器本体５３０は、その内部を通常の空気等の水よりも比重の小さい気体を充填することで、水上では浮きとして活用することができる。
（第１３の実施形態）
【００９１】
第１３の実施形態は、第１の実施形態の利用方法を示すものである。図１６を用いて説明する。容器本体６３０は、その内部を通常の水等の空気よりも比重の小さい気体、液体、固体を充填することで、地球上では水嚢などの重石として活用することができる。
（第１４の実施形態）
【００９２】
第１４の実施形態は、第４の実施の形態に関連する実施形態であり、図１７を用いて説明する。第４の実施の形態は、容器本体８３１とカバー部８３０とから構成される。
【００９３】
容器本体８３１は、三角錐形状であり、一側面の下部に蓋体を有する開口部８４２が設けられ、上部には懸吊紐８３６，８４０，８４４が縫着されている。さらに、気密ファスナ８３８が稜線に設けられている。
【００９４】
一方、カバー部８３０は、容器本体８３１の下部にフィットした形状であり、開口部８４２に対応する開口部が設けられている。
【００９５】
以上のように構成することで、液体の運搬が容易となる。
【符号の説明】
【００９６】
２  容器本体
４  支持体
６  正面
８  後方右面
１０  後方左面
１２  底面
１４  開口部
１６  蛇口付き蓋体
１８  懸吊横棒
２０  貫通管
２２  支持縦棒
２４  横梁棒
２６  筋交棒
３０  容器本体
３２  正面
４２  蓋体
４４  ホース
４６  シャワーヘッド
３４  後右側面
５０  空気抜き弁
５２  空気吹込部
３２  正面
３８  裏面
３６  後左側面
４８  貫通管
５２  空気吹き込み部
６０  蛇口付蓋体
６４  後左側面
６６  懸吊紐
６８  紐固定部
７０  後右側面
７２  紐固定部
７４  容器本体
７６  紐固定部
７６  紐固定部
７８  正面
８２  後右側面
８４  懸吊紐
８６  気密ファスナ
８８  カバー部
９０  開口部
９４  正面
８０  蓋体
９２  蓋体開口
９８  本体部
１００  カバー部
１０２  正面
１０４  後右側面
１０６  蓋体
１０８  気密ファスナ
１１０  カバー正面
１１２  カバー後右側面
１１４  カバー開口
１１６  カバー懸吊紐
１２０  カバー部
１４８  本体部
１２２  底面部
１２４、１２６，１２８，１３０  側面部
１３１、１３２，１３３、１３４  タブ
１３９、１４０、１４１、１４２  懸吊部
１３５、１３６、１３７（図示せず）、１３８  縫着部
１５６  開口部
１５４  開口部
１８０  本体部
１６０  カバー部
１６１  底面部
１６２、１６４，１６６  側面部
１６８、１６９，１７０  タブ
１７４、１７５、１７６  懸吊部
１７１、１７２、１７３  縫着部
１８８  開口部
１８６  開口部
１９０  カバー部
１９１  底面部
１９２  側面部
１９４、１９５，１９６  タブ
１９７、１９８、１９９  縫着部
２００、２０１、２０２  懸吊部
２１０  本体部
２１６  カバー部
２１９  溶着部
２２０  溶着部
２２８  シート
２２６  折り曲げ点
２２４  折り曲げ点
２２８  シート
２３０  シート
２３２  補強シート
２３２  部位
２３８  部位
３４４  シャワーホース
３４６  シャワーヘッド
３４２  シャワー用蓋体
３５４  シャワーホース
３５６  先端
４３０  容器本体
４５０  貫通管
４５２、４５４  車輪
４５０  貫通管
４４８  貫通管
４５６  取手
５３０  容器本体
６３０  容器本体
８３１  容器本体
８３０  カバー部
８４２  開口部
８３６，８４０，８４４  懸吊紐
８３８  気密ファスナ
８３０  カバー部
８３１  容器本体
８４２  開口部
【図１】
0006697375.tif 000002
【図２】
0006697375.tif 000003
【図３】
0006697375.tif 000004
【図４】
0006697375.tif 000005
【図５】
0006697375.tif 000006
【図６】
0006697375.tif 000007
【図７】
0006697375.tif 000008
【図８】
0006697375.tif 000009
【図９】
0006697375.tif 000010
【図１０】
0006697375.tif 000011
【図１１】
0006697375.tif 000012
【図１２】
0006697375.tif 000013
【図１３】
0006697375.tif 000014
【図１４】
0006697375.tif 000015
【図１５】
0006697375.tif 000016
【図１６】
0006697375.tif 000017
【図１７】
0006697375.tif 000018